(57)【特許請求の範囲】
【請求項１】
後方に電動送風機を内蔵する電動送風機室を、前方に前記電動送風機に連通する集塵室をそれぞれ配した本体と、前記本体の前部に設けられ前記集塵室に連通する吸込口と、前記電動送風機室の略上方に取着されたハンドルとを備え、前記電動送風機のフレーム部の外周に電源コードを巻き取るコード巻き取り装置を同心状に設け、前記電動送風機とコード巻取り装置を固着した移動箱を前後方向に摺動自在に電動送風機室内に配すると共に、前記吸込口に管を連結すると前記移動箱を後方に移動させる手段と、前記移動箱を前方に付勢する付勢手段を有する電気掃除機。
【発明の詳細な説明】
【０００１】
【発明の属する技術分野】
本発明は、一般家庭で使用される電気掃除機に関するもので、特にハンドルの持ち易さの使用性向上に関するものである。
【０００２】
【従来の技術】
従来の電気掃除機は、特開平５−１９２２７０号公報に示されたものが一般的であった。以下図６にしたがって説明する。
【０００３】
図６において、１はコード巻き取り装置で、本体２の後方に取り付けられている。本体２は、後方に配された電動送風機と、前方に配され、電動送風機に連通する集塵室とを内蔵しており、本体２の前部には集塵室に連通する吸込口４を設けている。また、本体２の上方にはハンドル３が設けられており、このハンドル３をもって本体２を前傾させ、吸込口４が床面に接するようにして掃除を行うものであった。
【０００４】
そして、上記構成の電気掃除機では、コード巻き取り装置１から電源コードを引っぱり出して電源コード先端の電源プラグをコンセントに差込み、電動送風機などに電力を供給できるようにする。そして、ハンドル３の前方に設けたスイッチ３ａをオンすることにより、電動送風機に通電され、吸込口４から床面上の塵埃を吸引する力が発生し、吸込口４から吸引された塵埃を集塵室に捕集するようになっていた。
【０００５】
【発明が解決しようとする課題】
しかし従来の電動送風機では、電源コードの収納を簡便化するため、コード巻き取り装置１を本体２の後部に取り付けているため、電気掃除機の重心はコード巻き取り装置１を取り付けていない場合に比べ後方に移動することとなる。なお、一般的には、重量物である電動送風機はハンドル３の下方に配設されており、電源コード巻き取り装置１がなければ略ハンドル３の位置に重心がくるようになっているが、ハンドル３よりも後方に重量物であるコード巻き取り装置２を取り付けると、上述したとおり、重心の位置がハンドル３より後方側に移動してしまうのである。また、使用時には電源コードをコード巻き取り装置１から引き出すので、引き出した電源コードの重量分だけ軽くはなるものの、電源コード巻き取り装置１本体の重量はハンドル３より後方から作用するので、重心の位置をハンドル３の近くまで移動させることは困難であった。このように、重心の位置がハンドル３の位置よりも後方に位置することになるので、使用者が本体２上方のハンドル３を持つと吸込口が上方へ向き、これにさからって本体２を前傾姿勢にして掃除する際には、非常に使い難いものであった。
【０００６】
本発明は上記課題を解決するもので、本体を掃除姿勢にする場合の使い勝手を向上させることを目的とする。
【０００７】
【課題を解決するための手段】
上記目的を達成するために本発明は、後方に電動送風機を内蔵する電動送風機室を、前方に前記電動送風機に連通する集塵室をそれぞれ配した本体と、前記本体の前部に設けられ前記集塵室に連通する吸込口と、前記電動送風機室の略上方に取着されたハンドルとを備え、前記電動送風機のフレーム部の外周に電源コードを巻き取るコード巻き取り装置を同心状に設け、前記電動送風機とコード巻取り装置を固着した移動箱を前後方向に摺動自在に電動送風機室内に配すると共に、前記吸込口に管を連結すると前記移動箱を後方に移動させる手段と、前記移動箱を前方に付勢する付勢手段を有する構成のものである。
【０００８】
上記構成により、コード巻き取り装置からコードを引き出すと、コードの重量分重心が本体前方に移動するため、本体前方の吸込口が下方に傾く、すなわち前傾姿勢となるので、使用時における手首にかかる負担が軽減されるのである。さらに、吸込口に管を接続すると、移動箱が本体後方に移動する事により、重心が本体後方に移動して、管の先端のノズルに加わる力が減少し、操作力の低減が行えるものである。
【０００９】
【発明の実施の形態】
本発明の請求項１記載の発明は、後方に電動送風機を内蔵する電動送風機室を、前方に前記電動送風機に連通する集塵室をそれぞれ配した本体と、前記本体の前部に設けられ前記集塵室に連通する吸込口と、前記電動送風機室の略上方に取着されたハンドルとを備え、前記電動送風機のフレーム部の外周に電源コードを巻き取るコード巻き取り装置を同心状に設け、前記電動送風機とコード巻取り装置を固着した移動箱を前後方向に摺動自在に電動送風機室内に配すると共に、前記吸込口に管を連結すると前記移動箱を後方に移動させる手段と、前記移動箱を前方に付勢する付勢手段を有するもので、吸込口に管を接続すると、移動箱が本体後方に移動する事により、重心が本体後方に移動して、管の先端のノズルに加わる力が減少し、操作力の低減が行える。また、吸込口から管を外すと、移動箱と本体後方内壁面の間に設けた付勢手段により移動箱が本体前方に移動して元の位置に戻る。
【００１０】
【実施例】
（実施例１）
以下、本発明の第１の実施例を、図１、図２を用いて説明する。
【００１１】
本体８後方に電動送風機５を内蔵する電動送風機室６を設け、本体８前方には電動送風機室６に連通する集塵室７を設けている。本体８の前方には集塵室７と連通する吸込口１３を設けている。また、本体８の上方で且つ電動送風機室６上方にはハンドル９を取着している。このハンドル９は、本体８を運搬するとき、また本体９の吸込口１３を床面側に向けて掃除をするとき、さらに、吸込口１３に延長管の一端側を接続し、延長管の他端側に床ノズルを接続して掃除をするときなど、手で握り、本体８を移動させたり、本体を傾斜させたりする。
【００１２】
電動送風機５のフレーム部１０の外周にはコード巻き取り装置１１が回転可能に配されており、コード巻き取り装置１１は電動送風機５の回転軸と同心状となるように回転可能としている。したがって、コード巻き取り装置１１は電動送風機５のフレーム部１０外周を覆うように配され、また、電源コード１２を巻回するドラム部と、このドラム部を電源コードを巻き取る方向に回転させるゼンマイなどから構成され、収納時には電源コード１０を自動的に巻き取ることができるようになっている。
【００１３】
電源コード１２の端部のプラグ２１は本体８側面のコード出口孔２２より外に出ており、このプラグ２１を持って電源コード１２を引き出すことにより、巻き取り装置１１のドラム部が回転し、ドラム部に取り付けたゼンマイを巻く動作を行い、一方、電源コード１２を収納するときには、コード巻き取りボタンを押すことにより巻かれたゼンマイの力がドラムを巻き取り方向に回転させ、自動的に電源コード１２を巻き取るものである。なお、コード巻き取り装置１１を上述しました自動巻き取り装置にすることが好ましいが、電源コード１２を巻回できるドラム部を手動で回転させて、電源コード１２を巻き取る構成のものであってもよい。
【００１４】
上記構成による作用は以下の通りである。すなわち、コード巻き取り装置１１から電源コード１２を引き出し、プラグ２１をコンセントに接続すると、電源コード１２を介して電動送風機への通電を行える状態となる。この状態で、ハンドル９の前方に設けた電源スイッチ９ａをオンすると、電動送風機５が駆動され、吸引力が発生する。この吸引力により吸込口１３から空気及び塵埃を集塵室７内に吸い込み、この集塵室７内に塵埃が捕集される。集塵室７では塵埃のみを捕集し、次の電動送風機室６内には空気のみが流れ、本体後方の排気口８ａより排気される。この電動送風機５の運転中には、電動送風機室６内を前方から後方、すなわち集塵室７側から排気口８ａ側に空気が流れるので、電動送風機５のフレーム部１０に設けられたコード巻き取り装置１１を冷却する。
【００１５】
次に、電源コード１２を巻き取っている状態と、引き出した状態とについて説明する。掃除を行うために、電源コード１２を引き出すと、その引き出した電源コード１２の重量分が軽減されるので、その重心Ｇは前方に移動する。電源コード１２を全て引き出したときの重心Ｇ位置は、ハンドル９より前方の位置、詳しくはハンドル９を手で握った際に本体８が前傾するような位置に設定してある。ハンドル９を握る位置の中心をＡとすると、重心Ｇはその位置Ａより前方に位置するようになっている。この重心Ｇの設定においては、電動送風機５、コード巻き取り装置１１、本体８等の重量、形状、配置位置等を考慮している。このように、電源コード１２を引き出して掃除をする場合には、ハンドル９を握って本体８を持ち上げると、本体８が前傾姿勢となり、その本体８の吸込口を床面に接触させやすくなり、使用時に手首にかかる負担を軽減させることができる。
【００１６】
また、掃除が終了して電源コード１２をコード巻き取り装置１１に巻き取ると、電源コード１２の重量が加わり、その重心Ｇ’は後方に移動する。この重心Ｇ’の位置は後方に移動するので、本体８を図２に示すように排気口８ａを下側にし、立てた状態で収納する場合に、重心位置が下方側となり安定した状態となる。すなわち、電源コード１２を巻き取って重心が後方に移動した分、すなわち、立てた状態では下側に移動した分だけ安定して収納することができる。なお、収納状態での安定性を重視するのであれば、重心Ｇ’の位置はハンドル９を握る位置の中心Ａより後方の位置になるように設定する必要がある。
【００１７】
さらに、電動送風機５は集塵室側に位置する送風機部と排気口８ａ側に位置する電動機部とから構成されており、電動機部により送風機部のインペラが回転力を得て吸引力を発生するものであるが、本実施例では、電動送風機５の電動機部分をコード巻き取り装置１１により覆う構成なので、電動機から発生する音などを遮音する効果も得られる。
【００１８】
（実施例２）
次に本発明の第２の実施例を、図３を用いて説明する。なお上記第１の実施例と同一構成部品については同一符号を付して、その説明を省略する。
【００１９】
本実施例の特徴はハンドル部分であるので、この部分を中心に説明する。本体８後方に略逆くの字状のハンドル１５を設け、ハンドル１５の前端側を本体８上方に設けた回動受軸１４に回動自在に取着した構成である。
【００２０】
上記構成による作用は以下の通りである。掃除中には、使用者が運転時ハンドル１５を持つと、本体８が前傾姿勢となってハンドル１５が回転軸１４を支点に角度が変わり、吸込口１３が床面に当たる。吸込口１３には吸引力が発生しているので、吸込口１３が床面に吸いつき、ハンドル１５が回動軸１４を支点にさらに角度が変わり、床面の凹凸に応じて床面の凹凸に合わせて、ハンドル１５を傾ける必要が無くなるのである。
【００２１】
（実施例３）
次に本発明の第３の実施例を、図４を用いて説明する。なお上記第１の実施例と同一構成部品については同一符号を付して、その説明を省略する。
【００２２】
図に示すように、電動送風機５と電動送風機５のフレーム部１０外周に設けたコード巻き取り装置１１を内蔵する移動箱１６を設け、さらに弾性材からなり電動送風機５と集塵室７との間の気密を保持する弾性体１７を電動送風機５の前部に配し、前記弾性体１７を本体８の前後方向に伸縮自在に蛇腹状に形成した構成である。
【００２３】
上記構成による作用は以下の通りである。ハンドル９を持って本体８を前方に傾けると、重量物である電動送風機５とコード巻き取り装置１１を固着した移動箱１６が自重により、本体８前方に移動するため重心が本体８の前側に移動し、本体８の前方に設けた吸込口１３が下方に傾き易くなり、コード１２の引き出し長さに関係なく使用時に手首にかかる負担を軽減することができる。またスタンド収納時には移動箱１６が自重により、本体８後方に移動するため重心が本体８の後ろ側に移動し、安定性が向上するのである。
【００２４】
この時、前記弾性体１７は蛇腹状に構成しているため、エアータイトを損なうことなく弾性体１７が前後に伸縮し移動箱１６の前後移動が行える。
【００２５】
（実施例４）
次に本発明の第４の実施例を、図５を用いて説明する。なお上記第３の実施例と同一構成部品については同一符号を付して、その説明を省略する。
【００２６】
図において、移動箱１６に一端側を固着した連通棒１８を本体８内底部に配し、この連結棒１８の先端を略Ｌ字状にとして吸込口１３内に配している。そして、吸込口１３に管、例えば延長管２０を挿入すると、その延長管２０の端部が連結棒１８のＬ字状部を矢印のように押し、連結棒１８に連結された移動箱１６を後方に移動させる。つまり、連結棒１８が吸込口１３に管を連結すると移動箱１６を後方に移動させる手段を構成している。また、電動送風機５と電動送風機５のフレーム部１０外周に設けたコード巻き取り装置１１が移動箱１６と固定され、前記移動箱１６と本体８後方内壁面の間にバネ１９を設けて、本体８前方方向に移動箱１６を付勢した構成である。
【００２７】
上記構成による作用は以下の通りである。使用者が立った状態で使用する場合、吸込口１３に延長管２０を接続する。この延長管２０の先端には床面と接する床ノズルが接続されており、床ノズルを床面上を移動させることにより掃除を行うものである。上記延長管２０は床ノズルが接続されない一端側を吸込口１３内に挿入して接続するものであり、延長管２０の一端部を挿入すると連通棒１８の略Ｌ字状にその一端部が当たり、延長管２０を挿入していくにしたがって連通棒１８は本体８後方側へ押し込まれる。この時、連通棒１８に連結された移動箱１６は、本体８後方へ移動し、バネ１９が収縮した状態の位置で固定される。したがって、使用者が持ったハンドル９を支点として重量物である移動箱１６が本体８後方に移動する事により、重心が本体８後方に移動するため、延長管２０先端に接続した床ノズル（図示せず）が床面に対して浮く方向に力が加わリ、ノズル（図示せず）と床面との吸いつき力が軽減されるため、操作力の低減が行える。また、吸込口１３から延長管２０を外すと、移動箱１６と本体８後方内壁面の間に設けたバネ１９の付勢により移動箱１６が本体８前方に移動して元の位置に戻る。
【００２８】
【発明の効果】
本発明の請求項１記載の発明によれば、コードを引き出すと、コードの質量分が軽減され、重心が本体の前側に移動するため、本体の前方に設けた吸込口が下方に傾き易くなり、使用時に手首にかかる負担が少ない掃除機を提供できるのである。
【００２９】
さらに、床ノズルを有する管を接続すると、重量物である移動箱が後方へ移動し、使用者が持ったハンドルを支点として床ノズルが床面から浮く方向に力が加わるため、床ノズルと床面の吸いつき力が軽減され操作力の軽い掃除機を提供できるのである。
【図面の簡単な説明】
【図１】本発明の第１の実施例を示す電気掃除機の全体断面図
【図２】同電気掃除機の側面図
【図３】本発明の第２の実施例を示す電気掃除機の全体断面図
【図４】本発明の第３の実施例を示す電気掃除機の全体断面図
【図５】本発明の第４の実施例を示す電気掃除機の全体断面図
【図６】従来例を示す電気掃除機の外観斜視図
【符号の説明】
５  電動送風機
６  電動送風機室
７  集塵室
８  本体
９  ハンドル
１０  フレーム部
１１  コード巻き取り装置
１２  電源コード
１３  吸込口
【図１】
0003587027.tif 000002
【図２】
0003587027.tif 000003
【図３】
0003587027.tif 000004
【図４】
0003587027.tif 000005
【図５】
0003587027.tif 000006
【図６】
0003587027.tif 000007